(57)【要約】【目的】靴を安定して支持することが可能であり、作業者の肉体的負担も少なく、軽量故に持ち運びにも適し、ロングブーツなどの制作にも使用出来る製靴用固定台を提供すること。【構成】請求項１に記載の考案は、柱状の台座部と、台座部を挟む形状で台座部に取り付けられる、平面視略コ字状を呈し、かつ、両端に弾性体を備えた板材である挟持部材と、台座部上に設けられ、表面に弾性体を備えた板材である爪先支持部材とにより構成した。  請求項２に記載の考案は、請求項１記載の製靴用固定台において、挟持部材と台座部とをボルトで固定すると共に、挟持部材にボルト孔を複数設け、挟持部材の取り付け位置を可変に構成した。【選択図】図１
2014131536.tif 000002
【特許請求の範囲】
【請求項１】
柱状の台座部と、
台座部を挟む形状で台座部に取り付けられる、平面視略コ字状を呈し、かつ、両端に弾性体を備えた板材である挟持部材と、
台座部上に設けられ、表面に弾性体を備えた板材である爪先支持部材と、
により成る製靴用固定台。
【請求項２】
挟持部材と台座部とをボルトで固定すると共に、挟持部材に水平方向に縦長のボルト孔を設け、挟持部材の取り付け位置を可変とした請求項１記載の製靴用固定台。
【発明の詳細な説明】
【技術分野】
【０００１】
本発明は靴を手製する際に使用する固定台に関する。
【背景技術】
【０００２】
手製靴作成時におけるラスティング(成形作業)やウェルティング(掬い縫い)といった工程では、輪袈裟と呼ばれるベルトで、膝の上に靴を固定して、作業が行われる。
【０００３】
ところが、かかる作業は熟練した職人でなければ、力をいれた時や位置を変えた時に靴が安定せず、靴を落としてしまいがちである。また、釘打ちによるひざの衝撃や、背筋を丸めて作業することに伴う肉体的負担が大きかった。
【０００４】
係る不都合を回避すべく、ウェルティングベンチと呼ばれる製靴用固定台が用いられることがある。この固定台は鋳物製で、作業机等に固定して使用されるものである。その形態は、台座部から二本の棒体が延設され、一方の棒体には木型の踵上部を差し込んで踵を固定し、他方の棒体は、靴のつま先部位にあてがう支持部材を上端に設けて成るものである。
【０００５】
ウェルティングベンチを使用すれば、上記作業者の肉体的負担を軽減することが可能であるが、鋳物製であるがゆえに重量が大きく、移動に不向きという難点を有する。また、靴の中に挿入された木型の踵部位を支持するため、靴自体はぐらついてしまうという難点も有する。さらにはロングブーツなど長尺の靴は棒体に差し込めず、対応できないという難点も有する。
【０００６】
靴を修理する際に使用する固定台が、特許文献１、２に開示されている。
【先行技術文献】
【特許文献】
【０００７】
【特許文献１】特開平９−１１７３０３号公報
【特許文献２】特開２００５−２５３９１７号公報
【発明の概要】
【発明が解決しようとする課題】
【０００８】
本発明は上記輪袈裟やウェルティングベンチを使用した際の問題点を解消することを課題とするものであり、つまりは靴を安定して支持することが可能であり、作業者の肉体的負担も少なく、軽量故に持ち運びにも適し、ロングブーツなどの制作にも使用出来る製靴用固定台を提供することを目的とする。
【課題を解決するための手段】
【０００９】
上記の目的を達成する本発明の構成は次の通りである。
【００１０】
（１）  請求項１に記載の発明は、柱状の台座部と、台座部を挟む形状で台座部に取り付けられる、平面視略コ字状を呈し、かつ、両端に弾性体を備えた板材である挟持部材と、台座部上に設けられ、表面に弾性体を備えた板材である爪先支持部材とにより構成した。
【００１１】
（２）  請求項２に記載の発明は、請求項１記載の製靴用固定台において、挟持部材と台座部とをボルトで固定すると共に、挟持部材に水平方向に縦長のボルト孔を設け、挟持部材の取り付け位置を可変に構成した。
【発明の効果】
【００１２】
上記のように構成される本発明が、如何に作用して課題を解決する効果を有するかを、図面を参照しながら概説する。
【００１３】
図１は本発明に係る製靴用固定台の斜視図であり、図２は使用状態を示す説明図である。
【００１４】
本発明に係る製靴用固定台１は、作業者が椅子に座った状態で、作業者が台座部２を股に挟んで使用するものである。具体的には図２に示すように、靴７の底面を上にした状態で、踵側を挟持部材３に設けた一対の弾性体４，４の間に挟み込み、爪先側を爪先支持部材５の表面に設けた弾性体６の上に置くことで、靴７を支持するものである。作業時には更に、タスキ状の輪袈裟８を靴７の上から巻回し、図示されていないが、輪袈裟８の下部を作業者が足で踏んで輪袈裟８を引張り、靴７を製靴用固定台１にしっかり固定するものである。
【００１５】
このように、本発明によれば製靴用固定台１により靴が挟み込まれ、更には輪袈裟により固定されることから、従来のように膝の上に靴を載せ輪袈裟により固定する場合のように、靴がぐらつくことなく作業することが可能となる。
【００１６】
また、台座部２を股に挟んで作業することから、つまり、両足で締め付ける力も固定する力に利用できることから、腕力に頼らずに作業が可能であり、熟練の職人並みの力の入れ具合を、非熟練者でも実現可能なものである。
【００１７】
また、従来のように膝の上に靴を載せて作業する場合よりも、靴を高い位置に置いて作業することから、作業者が前かがみにならずに作業ができる。釘打ちを行うときにも、衝撃は作業者に直接伝わらない。つまりは、作業者の肉体的負担を軽減できるものである。
【００１８】
本発明は、台座部を股に挟んで使用するものであり、従来のウェルティングベンチのように自重により安定を得る必要がないので、木材や樹脂等軽量の素材で構成可能なものである。これにより、持ち運び等の利便性が図れるものである。
【００１９】
また、靴の踵を外側から挟んで作業を行うので、つまりは従来のウェルティングベンチのように踵の内側から支持するものではなく、しかも製靴用固定台から床まで障害物がないことから、ロングブーツのような長尺の靴の製作にも使用可能となるのである。
【００２０】
図３は本発明の正面図であり、図４は挟持部材の取り付け位置をずらした状態を示す正面図である。本発明においては、水平方向に縦長のボルト孔９が設けられており、ボルト１０による固定位置をボルト孔９の範囲内で任意に設定出来る。すなわち、挟持部材の位置を図中矢印方向（左右方向）に変動させることが可能である。これにより、靴の踵部を支持する弾性体４と、爪先部を支持する弾性体６との間の距離を変更可能となり、靴のサイズに応じた使用が可能となるのである。
【図面の簡単な説明】
【００２１】
【図１】本発明に係る製靴用固定台の斜視図
【図２】使用状態を示す説明図
【図３】本発明の正面図
【図４】挟持部材取り付け位置を変更した正面図
【図５】本発明の右側面図
【図６】本発明の平面図
【発明を実施するための形態】
【００２２】
以下、好ましい発明の一実施形態につき、図面を参照しながら概説する。なお、本発明の実施の形態は、下記の実施形態に何ら限定されることはなく、本発明の技術的範囲に属する限り種々の形態を採りうる。
【００２３】
図３乃至図６に示すように、本発明に係る製靴用固定台１は台座部２、挟持部材３及び爪先支持部５を主な構成要素とする。
【００２４】
台座部１は作業者が股で挟みやすいように、八角柱を使用している。むろん係る限定を受けるものではなく、円筒形状でもよいし、その他任意の角数の柱材でも使用可能なものである。素材は木材、樹脂、軽量の金属等を利用可能である。
【００２５】
挟持部材３は図６に示すように平面視略コ字状の板材である。該挟持部材３は５個の板材を組み合わせて形成してある。すなわち正面側構成する板材３ａ、背面側を構成する板材３ｂ、板材３ａと３ｂとに渡る板材３ｃ及び板材３ａ・板材３ｂの端部にそれぞれ取付けられる板材３ｄ、３ｅである。  
【００２６】
そして板材３ｄ、３ｅは弾性体４で被覆されるものである。弾性体４は、例えばスポンジの上から革を被せてピンで留めるといった方法で形成可能である。あるいはゴムを被覆しても構わない。
【００２７】
正面側構成する板材３ａ、背面側を構成する板材３ｂには、水平方向に縦長のボルト孔９が設けられている。このボルト孔９にボルトを嵌めこむことで、挟持部材３と台座部２を固定するものである。
【００２８】
なお、上記挟持部材３の構成は一例であり、他にも樹脂で略コ字状の板材を一体成型し、端部に弾性体を設けるといった方法でも構わないし、上記板材３ｄ、３ｅに当たる部分のみを弾力性のある樹脂で形成するといった方法でも構わないし、或いは軽量の金属でも形成可能なものである。要は靴の踵部を傷つけること無く挟持できる形態のものを使用可能である。
【００２９】
爪先支持部材５は、天面が下方に湾曲した形状に形成した板材であり、台座部２の上に設けられるものである。湾曲形状にしてあるのは、靴の爪先部を載置しやすくするためである。
【００３０】
爪先支持部材５の表面には弾性体６が装備されている。弾性体６は、例えばスポンジの上から革を被せてピンで留めるといった方法で形成可能である。あるいはゴムを被覆しても構わない。
【００３１】
なお、上記爪先支持部材５の構成は一例であり、素材も木材、樹脂、軽量の金属等を利用可能である。要は靴の爪先部を傷つけること無く支持できる形態のものを使用可能である。
【符号の説明】
【００３２】
１・・製靴用固定台    ２・・台座部          ３・・挟持部材
４・・弾性体          ５・・爪先支持部材    ６・・弾性体
７・・靴              ８・・輪袈裟          ９・・ボルト孔
１０・・ボルト
【図１】
2014131536.tif 000003
【図２】
2014131536.tif 000004
【図３】
2014131536.tif 000005
【図４】
2014131536.tif 000006
【図５】
2014131536.tif 000007
【図６】
2014131536.tif 000008